(57)【要約】【課題】エレベータの巻き上げ機を昇降路の天井近くに容易に据え付ける。【解決手段】巻き上げ機の据え付け方法は、釣合い重りガイドレールの上部に吊り元を取り付ける工程Ｓ１と、吊り元に揚重機を吊り下げる工程Ｓ２と、釣合い重りガイドレールに仮置き台を設ける工程Ｓ３と、仮置き台の上に釣合い重り枠を載せる工程Ｓ４と、釣合い重り枠の上に嵩上げ台を取り付ける工程Ｓ５と、嵩上げ台の上にマシンベッドを取り付ける工程Ｓ６と、マシンベッドの上に巻き上げ機を取り付ける工程Ｓ７と、揚重機の揚重フック側を釣合い重り枠の下部に取り付ける工程Ｓ８と、揚重機を操作して巻き上げ機およびマシンベッドを揚重する工程Ｓ９と、吊り元に連結用部材を取り付ける工程Ｓ１０と、揚重機を用いて巻き上げ機とマシンベッドを連結用部材の上に載せる工程Ｓ１１と、連結用部材とマシンベッドとを締結する工程Ｓ１２と、を有する。【選択図】図１
2011132012.tif 000002
【特許請求の範囲】
【請求項１】
昇降路内で乗りかごおよび釣合い重りを吊り下げてこれら乗りかごおよび釣合い重りを昇降させるためのエレベータの巻き上げ機の据え付け方法であって、
前記昇降路内で前記釣合い重りを上下方向にガイドするために互いに平行に立設された２本の釣合い重りガイドレールのそれぞれの上部に吊り元を取り付ける吊り元取り付け工程と、
前記吊り元取り付け工程の後に前記吊り元それぞれに揚重機を吊り下げる揚重機吊り下げ工程と、
前記揚重機吊り下げ工程の後に前記揚重機を用いて前記揚重機の下方の前記釣合い重りガイドレールのそれぞれに仮置き台を設ける仮置き台設置工程と、
前記仮置き台設置工程の後に前記二つの仮置き台の上に跨って一つの釣合い重り枠を載せる釣合い重り枠設置工程と、
前記釣合い重り枠設置工程の後に前記釣合い重り枠の上に一つの嵩上げ台を取り付ける嵩上げ台取り付け工程と、
前記嵩上げ台取り付け工程の後に前記嵩上げ台の上に一つのマシンベッドを取り付けるマシンベッド取り付け工程と、
前記マシンベッド取り付け工程の後に前記マシンベッドの上に一つの巻き上げ機を取り付ける巻き上げ機取り付け工程と、
前記巻き上げ機取り付け工程の後に前記揚重機それぞれの揚重フック側を前記釣合い重り枠の下部に取り付ける揚重フック取り付け工程と、
前記揚重フック取り付け工程の後に前記揚重機それぞれを操作して前記巻き上げ機およびマシンベッドを所定の高さに揚重する揚重工程と、
前記揚重工程の後に前記吊り元それぞれに連結用部材を取り付ける連結用部材取り付け工程と、
前記連結用部材取り付け工程の後に前記揚重機を下降操作して前記巻き上げ機とマシンベッドとを前記連結用部材の上に載せる載置工程と、
前記載置工程の後に前記連結用部材とマシンベッドとを互いに締結する締結工程と、
を有することを特徴とするエレベータ巻き上げ機の据え付け方法。
【請求項２】
昇降路内で乗りかごおよび釣合い重りを吊り下げてこれら乗りかごおよび釣合い重りを昇降させるためのエレベータの巻き上げ機の据え付け方法であって、
前記昇降路内で前記釣合い重りを上下方向にガイドするために互いに平行に立設された２本の釣合い重りガイドレールのそれぞれの上部に吊り元を取り付ける吊り元取り付け工程と、
前記吊り元取り付け工程の後に前記吊り元それぞれに揚重機を吊り下げる揚重機吊り下げ工程と、
前記揚重機吊り下げ工程の後に前記揚重機を用いて前記揚重機の下方の前記釣合い重りガイドレールのそれぞれに仮置き台を設ける仮置き台設置工程と、
前記仮置き台設置工程の後に前記二つの仮置き台の上に跨って一つの釣合い重り枠を載せる釣合い重り枠設置工程と、
前記釣合い重り枠設置工程の後に前記釣合い重り枠の上に一つの嵩上げ台を取り付ける嵩上げ台取り付け工程と、
前記マシンベッドの上に一つの巻き上げ機を取り付ける巻き上げ機取り付け工程と、
前記嵩上げ台取り付け工程および巻き上げ機取り付け工程の後に前記巻き上げ機が取り付けられたマシンベッドを前記嵩上げ台の上に取り付けるマシンベッド取り付け工程と、
前記マシンベッド取り付け工程の後に前記揚重機それぞれの揚重フック側を前記釣合い重り枠の下部に取り付ける揚重フック取り付け工程と、
前記揚重フック取り付け工程の後に前記揚重機それぞれを操作して前記巻き上げ機およびマシンベッドを所定の高さに揚重する揚重工程と、
前記揚重工程の後に前記吊り元それぞれに連結用部材を取り付ける連結用部材取り付け工程と、
前記連結用部材取り付け工程の後に前記揚重機を下降操作して前記巻き上げ機とマシンベッドとを前記連結用部材の上に載せる載置工程と、
前記載置工程の後に前記連結用部材とマシンベッドとを互いに締結する締結工程と、
を有することを特徴とするエレベータ巻き上げ機の据え付け方法。
【発明の詳細な説明】
【技術分野】
【０００１】
この発明はエレベータの巻き上げ機の据え付け方法に関し、特に、昇降路の天井近くに巻き上げ機を据え付けることが可能な据え付け方法に関する。
【背景技術】
【０００２】
エレベータの巻き上げ機を昇降路の天井近くに据え付けるに当たっては、通常、昇降路の天井近くに設置したチェーンブロックなどの揚重機により巻き上げ機を吊り上げる（特許文献１、２参照）。
【先行技術文献】
【特許文献】
【０００３】
【特許文献１】特開２００５−６７８１３号公報
【特許文献２】国際公開ＷＯ２００２／０７９０６７号
【発明の概要】
【発明が解決しようとする課題】
【０００４】
ところが、通常の揚重機による吊り上げのみでは昇降路の天井近くまで巻き上げ機を吊り上げることは困難である。
【０００５】
従来のエレベータの巻き上げ機を昇降路の天井近くへの据え付けに当たって、マシンベッドに取り付けたフックを回転中心に所定位置まで揚重し、その後に手動で水平方向にずらすやり方が行なわれていた。このような方法では、巻き上げ機の質量が大きい場合は、巻き上げ機を水平方向にずらす際に人力で動かせない場合もある。また、人力で動かせたとしても重労働でかつ危険な作業であった。
【０００６】
本発明は、かかる事情に鑑みてなされたものであって、エレベータの巻き上げ機を昇降路の天井近くに容易に据え付けることができる方法を提供することを目的としている。
【課題を解決するための手段】
【０００７】
上記目的を達成するために、本発明に係るエレベータ巻き上げ機の据え付け方法の一つの態様は、昇降路内で乗りかごおよび釣合い重りを吊り下げてこれら乗りかごおよび釣合い重りを昇降させるためのエレベータの巻き上げ機の据え付け方法であって、前記昇降路内で前記釣合い重りを上下方向にガイドするために互いに平行に立設された２本の釣合い重りガイドレールのそれぞれの上部に吊り元を取り付ける吊り元取り付け工程と、前記吊り元取り付け工程の後に前記吊り元それぞれに揚重機を吊り下げる揚重機吊り下げ工程と、前記揚重機吊り下げ工程の後に前記揚重機を用いて前記揚重機の下方の前記釣合い重りガイドレールのそれぞれに仮置き台を設ける仮置き台設置工程と、前記仮置き台設置工程の後に前記二つの仮置き台の上に跨って一つの釣合い重り枠を載せる釣合い重り枠設置工程と、前記釣合い重り枠設置工程の後に前記釣合い重り枠の上に一つの嵩上げ台を取り付ける嵩上げ台取り付け工程と、前記嵩上げ台取り付け工程の後に前記嵩上げ台の上に一つのマシンベッドを取り付けるマシンベッド取り付け工程と、前記マシンベッド取り付け工程の後に前記マシンベッドの上に一つの巻き上げ機を取り付ける巻き上げ機取り付け工程と、前記巻き上げ機取り付け工程の後に前記揚重機それぞれの揚重フック側を前記釣合い重り枠の下部に取り付ける揚重フック取り付け工程と、前記揚重フック取り付け工程の後に前記揚重機それぞれを操作して前記巻き上げ機およびマシンベッドを所定の高さに揚重する揚重工程と、前記揚重工程の後に前記吊り元それぞれに連結用部材を取り付ける連結用部材取り付け工程と、前記連結用部材取り付け工程の後に前記揚重機を下降操作して前記巻き上げ機とマシンベッドとを前記連結用部材の上に載せる載置工程と、前記載置工程の後に前記連結用部材とマシンベッドとを互いに締結する締結工程と、を有することを特徴とする。
【０００８】
本発明に係るエレベータ巻き上げ機の据え付け方法の他の一つの態様は、昇降路内で乗りかごおよび釣合い重りを吊り下げてこれら乗りかごおよび釣合い重りを昇降させるためのエレベータの巻き上げ機の据え付け方法であって、前記昇降路内で前記釣合い重りを上下方向にガイドするために互いに平行に立設された２本の釣合い重りガイドレールのそれぞれの上部に吊り元を取り付ける吊り元取り付け工程と、前記吊り元取り付け工程の後に前記吊り元それぞれに揚重機を吊り下げる揚重機吊り下げ工程と、前記揚重機吊り下げ工程の後に前記揚重機を用いて前記揚重機の下方の前記釣合い重りガイドレールのそれぞれに仮置き台を設ける仮置き台設置工程と、前記仮置き台設置工程の後に前記二つの仮置き台の上に跨って一つの釣合い重り枠を載せる釣合い重り枠設置工程と、前記釣合い重り枠設置工程の後に前記釣合い重り枠の上に一つの嵩上げ台を取り付ける嵩上げ台取り付け工程と、前記マシンベッドの上に一つの巻き上げ機を取り付ける巻き上げ機取り付け工程と、前記嵩上げ台取り付け工程および巻き上げ機取り付け工程の後に前記巻き上げ機が取り付けられたマシンベッドを前記嵩上げ台の上に取り付けるマシンベッド取り付け工程と、前記マシンベッド取り付け工程の後に前記揚重機それぞれの揚重フック側を前記釣合い重り枠の下部に取り付ける揚重フック取り付け工程と、前記揚重フック取り付け工程の後に前記揚重機それぞれを操作して前記巻き上げ機およびマシンベッドを所定の高さに揚重する揚重工程と、前記揚重工程の後に前記吊り元それぞれに連結用部材を取り付ける連結用部材取り付け工程と、前記連結用部材取り付け工程の後に前記揚重機を下降操作して前記巻き上げ機とマシンベッドとを前記連結用部材の上に載せる載置工程と、前記載置工程の後に前記連結用部材とマシンベッドとを互いに締結する締結工程と、を有することを特徴とする。
【発明の効果】
【０００９】
本発明によれば、エレベータの巻き上げ機を、昇降路の天井近くに容易に据え付けることができる。
【図面の簡単な説明】
【００１０】
【図１】本発明に係るエレベータ巻き上げ機の据え付け方法の第１の実施形態を示すフロー図。
【図２】本発明に係るエレベータ巻き上げ機の据え付け方法の対象エレベータの構造の概略構成の一例を示す立断面図。
【図３】本発明に係るエレベータ巻き上げ機の据え付け方法の第１の実施形態において釣合い重りガイドレールに吊り元を取り付ける工程と吊り元に揚重機を吊り下げる工程を示す模式的立面図。
【図４】本発明に係るエレベータ巻き上げ機の据え付け方法の第１の実施形態において揚重機の下方の釣合い重りガイドレールに仮置き台を設ける工程を示す模式的立面図。
【図５】本発明に係るエレベータ巻き上げ機の据え付け方法の第１の実施形態において仮置き台の上に釣合い重り枠を載せる工程を示す模式的立面図。
【図６】本発明に係るエレベータ巻き上げ機の据え付け方法の第１の実施形態において釣合い重り枠の上に嵩上げ台を取り付ける工程を示す模式的立面図。
【図７】本発明に係るエレベータ巻き上げ機の据え付け方法の第１の実施形態において嵩上げ台の上にマシンベッドを取り付ける工程を示す模式的立面図。
【図８】本発明に係るエレベータ巻き上げ機の据え付け方法の第１の実施形態においてマシンベッドの上に巻き上げ機を取り付ける工程を示す模式的立面図。
【図９】本発明に係るエレベータ巻き上げ機の据え付け方法の第１の実施形態において揚重機の揚重フック側を釣合い重り枠の下部に取り付ける工程を示す模式的立面図。
【図１０】本発明に係るエレベータ巻き上げ機の据え付け方法の第１の実施形態において揚重機を操作して巻き上げ機およびマシンベッドを揚重する工程を示す模式的立面図。
【図１１】本発明に係るエレベータ巻き上げ機の据え付け方法の第１の実施形態において吊り元に連結用部材を取り付ける工程を示す模式的立面図。
【図１２】本発明に係るエレベータ巻き上げ機の据え付け方法の第１の実施形態において揚重機を操作して巻き上げ機とマシンベッドとを連結用部材の上に載せる工程および連結用部材とマシンベッドとを互いに締結する工程を示す模式的立面図。
【図１３】本発明に係るエレベータ巻き上げ機の据え付け方法の第２の実施形態を示すフロー図。
【発明を実施するための形態】
【００１１】
以下に、図面を参照して、本発明に係るエレベータ巻き上げ機の据え付け方法の実施形態を説明する。
【００１２】
［第１の実施形態］
図１は第１の実施形態に係るエレベータ巻き上げ機の据え付け方法の手順を示すフロー図であり、図２は本実施形態に係るエレベータ巻き上げ機の据え付け方法の対象エレベータの構造の概略構成の一例を示す立断面図である。図３ないし図１２は、第１の実施形態に係るエレベータ巻き上げ機の据え付け方法の各工程を示す模式的立面図である。
【００１３】
本実施形態に係るエレベータ巻き上げ機１７の据え付け方法の対象エレベータにおいては、おもに図２に示すように、昇降路１１内に２本の乗りかごガイドレール（図示せず）および２本の釣合い重りガイドレール１５（図３等参照）が互いに平行に立設され、乗りかご１２および釣合い重り１４がこれらのレールに沿って昇降できる。乗りかご１２および釣合い重り１４はロープ１６を介して巻き上げ機１７に吊り下げられている。巻き上げ機１７は、昇降路１１の天井３０近くに据え付けられる。
【００１４】
この実施形態における巻き上げ機１７の据え付け方法の手順は次のとおりである。
【００１５】
まず、図３に示すように、２本の釣合い重りガイドレール１５のそれぞれの上部に吊り元１８を取り付ける（吊り元取り付け工程Ｓ１）。釣合い重りガイドレール１５は、昇降路１１内で釣合い重り１４を上下方向にガイドするために互いに平行に立設されている。吊り元１８は櫓を兼ねている。つぎに、同図に示すように、吊り元１８それぞれに、チェーンブロックなどの揚重機１９を吊り下げる（揚重機吊り下げ工程Ｓ２）。
【００１６】
つぎに、図４に示すように、揚重機１９を用いて、揚重機１９の下方の釣合い重りガイドレール１５のそれぞれに仮置き台２０を設ける（仮置き台設置工程Ｓ３）。図４に示すように、仮置き台２０の上面は、対向する２本の釣合い重りガイドレール１５の内側に向かって水平方向に突出している。
【００１７】
つぎに、図５に示すように、二つの仮置き台２０の上に跨って一つの釣合い重り枠２５を載せる（釣合い重り枠設置工程Ｓ４）。このとき釣合い重り枠２５は２本の釣合い重りガイドレール１５にはさまれた位置にある。
【００１８】
つぎに、図６に示すように、釣合い重り枠２５の上に一つの嵩上げ台２１を取り付ける（嵩上げ台取り付け工程Ｓ５）。
【００１９】
つぎに、図７に示すように、嵩上げ台２１の上に一つのマシンベッド２２を取り付ける（マシンベッド取り付け工程Ｓ６）。
【００２０】
つぎに、図８に示すように、マシンベッド２２の上に一つの巻き上げ機１７を取り付ける（巻き上げ機取り付け工程Ｓ７）。
【００２１】
つぎに、図９に示すように、２個の揚重機１９それぞれの揚重フック２３側を釣合い重り枠２５の下部に取り付ける（揚重フック取り付け工程Ｓ８）。
【００２２】
つぎに、図１０に示すように、２個の揚重機１９それぞれを操作して巻き上げ機１７およびマシンベッド２２を所定の高さに揚重する（揚重工程Ｓ９）。
【００２３】
つぎに、図１１に示すように、吊り元１８それぞれに連結用部材２４を取り付ける（連結用部材取り付け工程Ｓ１０）。
【００２４】
つぎに、図１２に示すように、２個の揚重機１９を下降操作して巻き上げ機１７とマシンベッド２２とを連結用部材２４の上に載せる（載置工程Ｓ１１）。つぎに、連結用部材２４とマシンベッド２２とを互いに締結する（締結工程Ｓ１２）。
【００２５】
その後に、図示は省略するが、吊り元１８、揚重機１９、仮置き台２０、嵩上げ台２１、揚重フック２３および釣合い重り枠２５を撤去する。
【００２６】
なお、釣合い重り枠２５は、巻き上げ機１７を据え付けた後に、ロープ１６によって巻き上げ機１７に吊り下げ、釣合い重り枠２５内に適当な数の重り部材を入れて釣合い重り１４（図２参照）とする。
【００２７】
以上説明した第１の実施形態によれば、釣合い重り枠２５を利用することにより、エレベータの巻き上げ機を昇降路の天井近くに容易に据え付けることができる。
【００２８】
［第２の実施形態］
図１３は第２の実施形態に係るエレベータ巻き上げ機１７の据え付け方法の手順を示すフロー図である。この実施形態は第１の実施形態の変形であって、第１の実施形態と共通の部分には共通の符号を付して重複説明は省略する。
【００２９】
第１の実施形態では、嵩上げ台２１の上に一つのマシンベッド２２を取り付け（マシンベッド取り付け工程Ｓ６）、その後に、マシンベッド２２の上に一つの巻き上げ機１７を取り付ける（巻き上げ機取り付け工程Ｓ７）。これに対して、第２の実施形態では、マシンベッド２２の上に巻き上げ機１７をあらかじめ取り付ける（巻き上げ機取り付け工程Ｓ２１）。そしてその巻き上げ機１７が取り付けられたマシンベッド２２を嵩上げ台２１の上に取り付ける（マシンベッド取り付け工程Ｓ２２）。その他の手順は第１の実施形態と同様である。
【００３０】
［他の実施形態］
以上説明した各実施形態は単なる例示であって、本発明はこれらに限定されるものではない。
【００３１】
たとえば、第２の実施形態で、巻き上げ機取り付け工程Ｓ２１は、マシンベッド取り付け工程Ｓ２２よりも前であれば、いつ行なってもよい。
【符号の説明】
【００３２】
１１…昇降路
１２…乗りかご
１４…釣合い重り
１５…釣合い重りガイドレール
１６…ロープ
１７…巻き上げ機
１８…吊り元
１９…揚重機
２０…仮置き台
２１…嵩上げ台
２２…マシンベッド
２３…揚重フック
２４…連結用部材
２５…釣合い重り枠
３０…天井
【図１】
2011132012.tif 000003
【図２】
2011132012.tif 000004
【図３】
2011132012.tif 000005
【図４】
2011132012.tif 000006
【図５】
2011132012.tif 000007
【図６】
2011132012.tif 000008
【図７】
2011132012.tif 000009
【図８】
2011132012.tif 000010
【図９】
2011132012.tif 000011
【図１０】
2011132012.tif 000012
【図１１】
2011132012.tif 000013
【図１２】
2011132012.tif 000014
【図１３】
2011132012.tif 000015